【事件の表示】
　特許第３００７６３３号「楽音合成装置」の請求項１に係る特許に対する特許異議の申立てについて、次のとおり決定する。
【結　論】
　訂正を認める。
　特許第３００７６３３号の請求項１に係る特許を維持する。
【理　由】
I【手続きの経緯】
　特許第３００７６３３号の請求項１に係る発明についての出願は、昭和６２年１０月１２日に特許出願され、平成１１年１１月２６日にその特許の設定登録がなされ、その後、その特許について、異議申立人長谷川日出子より特許異議の申立てがなされ、取消しの理由が通知され、その指定期間内である平成１３年１月１２日に訂正請求がなされたものである。
II【訂正の適否についての判断】
（１）訂正の内容
　特許権者が求めている訂正の内容は、以下のａ、ｂのとおりである。
ア．訂正事項ａ
　特許請求の範囲の請求項１の記載を次のとおりに訂正する。
「（１）楽音の連続する複数周期からなる波形データを記憶する第一の波形メモリと、前記波形データのミキシングによる加工を指示する加工指示部と、前記加工指示部から出力される前記波形データの記憶領域に関する情報に従って前記第一の波形メモリの波形データを読み出しかつミキシング加工し複数周期の定常波形データとして出力するミキシング部と、前記複数周期の定常波形データを記憶する第二の波形メモリと、前記第二の波形メモリの前記複数周期の定常波形データの記憶領域に関する情報を記憶するテーブルメモリと、前記ミキシング部から出力される前記複数周期の定常波形データを前記第二の波形メモリへ書き込みかつ書き込みアドレス等の記憶領域に関する情報を前記テーブルメモリへ書き込む転送部と、出力楽音を指示する入力部と、前記入力部への指示に応じて前記テーブルメモリから出力される前記複数周期の定常波形データの記憶領域に関する情報に従って前記第二の波形メモリに記憶されている複数周期の定常波形データを楽音波形データとして読み出す読み出し部と、前記入力部からの情報に従って立ち上がりのエンベロープ波形を発生するエンベロープ発生部と、前記読み出し部が出力した前記楽音波形データと前記エンベロープ発生部が出力した前記エンベロープ波形とを乗算する乗算部を備え
た楽音合成装置であって、入力部に音色選択機能を設けると共に用意された複数のエンベロープのそれぞれを音色選択機能の音色に対応づけることを特徴とする
イ．訂正事項ｂ
　特許明細書第７頁第１７行〜第８頁第２０行の「この目的を達成するために・・・（中略）・・・乗算部とから構成されている。」を、「この目的を達成するために・・・（中略）・・・乗算部とから構成され、
入力部に音色選択機能を設けると共に用意された複数のエンベロープのそれぞれを音色選択機能の音色に対応づけることを特徴とする
（２）訂正の目的の適否、新規事項の有無及び拡張・変更の存否
　上記訂正事項ａは、特許明細書の特許請求の範囲の「・・・とを乗算する乗算部を備えたことを特徴とする楽音合成装置。」を、「・・・とを乗算する乗算部を備え
た楽音合成装置であって、入力部に音色選択機能を設けると共に用意された複数のエンベロープのそれぞれを音色選択機能の音色に対応づけることを特徴とする
　そして、上記訂正事項ａ、ｂは、いずれも特許明細書第１６頁第６行〜第８行に記載されている事項の範囲内のものであり、上記訂正事項ａ、ｂは、新規事項の追加に該当せず、また実質上特許請求の範囲を拡張し、又は変更するものでもない。
（３）むすび
　以上のとおりであるから、上記訂正は、特許法第１２０条の４第２項及び第３項において準用する特許法第１２６条第２項及び第３項の規定に適合するので、当該訂正を認める。
III【特許異議の申立てについて】
（１）申立ての理由の概要
　異議申立人長谷川日出子は、特許請求の範囲の請求項１に係る発明は、甲第１号証：特開昭６０−１７４９７号公報、甲第２号証：特開昭６１−１８９５９７号公報をもとに容易に発明をすることができたものであり、特許法第２９条第２項の規定により、特許を受けることができないものであるから、特許を取り消すべき旨主張している。
（２）本件の請求項１に係る発明
　本件の請求項１に係る発明（以下「本件発明」という。）は、上記訂正請求に係る訂正明細書の特許請求の範囲の請求項１に記載されたとおりのものである。
（３）引用刊行物記載の発明
　本件発明に対して、当審が通知した取消理由で引用した刊行物１：特開昭６１−１８９５９７号公報（上記甲第２号証）には、「楽音合成装置」（発明の名称）に関し、図面と共に次のとおりの記載がある。
１．「第１図は本発明の一実施例における楽音合成装置の構成を示すものである。第１図において、１１は出力楽音を指示するキーボード等の入力部、１８は楽音の波形データを記憶する第１の波形メモリ、１７は波形データの加工に関する情報を指示し加工情報を出力する加工指示部、１６は加工情報に基いて第１の波形メモリ１８内の波形データを加工する加工部、１２は加工部１６で加工された波形データを加工波形として記憶する第２のい波形メモリ、１３は第２の波形メモリ１２内の加工波形データの記憶領域と加工とに関する情報を記憶するテーブルメモリ、１９は入力部１１からの出力楽音指示の音高に対応したクロックを発生するクロック発生部、１４はテーブルメモリ１３の出力に対応した第２の波形メモリ１２内の加工波形データを読出して、加工に関する情報により加工波形データを再加工しかつクロック発生部１９の出力クロックに同期して出力する合成制御部、１５は加工部１６から出力される加工波形データを第２の波形メモリ１２に書き込み記憶させ、かつ前記加工波形データの第２の波形メモリ１２における記憶領域と加工に関する情報とをテーブルメモリ１３に書き込み記憶させる転送部である。」（公報第３頁左下欄第１８行〜同頁右下欄第２０行）
２．「加工指示部１７は、第１の波形メモリ１８にある連続する複数周期の波形データの過渡波形区間Ｄと定常ループ波形区間Ｌとミキシング区間Ｆとデータ圧縮技術Ｋとを加工部１６へ指示する。」（公報第４頁左上欄第１０行〜第１３行）
３．「次に加工部１６は、定常ループ波形区間Ｌの前部として、第１の波形メモリ１８のスタートアドレスＡＬから（ＮＬ−ＮＦ）個の波形データを読み出しかつ最初の１周期波形からｋ周期毎に選択し、各周期波形を構成する波形データを加工波形データとして転送部１５へ出力すると共に、定常ループ波形区間Ｌの後部として、第１の波形メモリ１８のスタートアドレス（ＡＬ＋ＮＬ−ＮＦ）からＮＦ個の波形データをフェイドアウトしたデータと、第１の波形メモリ１８のスタートアドレスＡＦからＮＦ個の波形データをフェイドインしたデータとをＮＦ個分それぞれ加算して得られる波形データの最初の１周期波形からｋ周期毎に選択し、各周期波形を構成する波形データを加工波形データとして転送部１５へ出力する。転送部１５は加工波形データを第２の波形メモリ１２のスタートアドレスＢＬからＮＬ’個分のアドレスに書き込み記憶させると共に、テーブルメモリ１３にＢＬとＮＬ’とを書き込み記憶させる。」（公報第４頁左下欄第４行〜同頁右下欄第２行）
　同じく引用した刊行物２：特開昭６０−１７４９７号公報（上記甲第１号証）には、「アンサンブル音源装置」（発明の名称）に関し、図面と共に次のとおりの記載がある。
１．「１は鍵盤などの操作器によって音の高さ、すなわち、音階を決定する情報を発生する音階情報発生器であって、具体的には操作器の操作に応じて音高を表わすディジタル的な音高コードＤＫを出力する。２はクロック発生器（図示せず）からのクロック周波数ｆｃを有するクロック信号を分周してアドレスコードＤＡＲを出力するプログラマブルなアドレスカウンタである。３は音源の波形情報を記憶したメモリであって、上記アドレスコードＡＤＲにより指定されたアドレスに書き込まれている波形のサンプル値を表わすディジタルコードＳが音階に応じた周期で繰り返し読み出される。」（公報第２頁右上欄第１８行〜同頁左下欄第１０行）
２．「第２の方法は、斉奏演奏より、所望の区間を切り取り、始まり部分を徐々に音量が零から増加するように変調し、終了部分を徐々に音量が減少するように変調し、始まりと終了の部分の音を加え合わしてエンドレス状にし、上記区間の中間付近で切断することにより、繰り返し読み出しても波形の連続性の良いサンプル値を得るようにする方法である。第４図は第２の方法の概念図である。斉奏された信号よりＡ〜Ｆの区間を利用するものとするとき、第４図（ａ）の如く立上り部分Ａ〜Ｂの音量を徐々に増大するように変調し、立下り部分を逆に徐々に減少するように変調する。その後Ａ〜ＢとＥ〜Ｆの区間を第４図（ｂ）の如く重ね合わし、Ｃ、Ｄの点で切断し、Ｄを始端、Ｃを終端とする。そして、Ｄ〜Ｃ間をサンプリングする。このようにすれば、Ａ〜Ｂ、Ｅ〜Ｆ間はなめらかにつながり、Ｄ点とＣ点は本来連続している部分であるから当然なめらかにつながることになる。」（公報第３頁左上欄第１６行〜同頁右上欄第１３行）
３．「また、Ｄ→Ｃ→Ｄ→Ｃ・・・・と読み出して、音の立上り時に、エンベロープをつけてやっても良い。これは、従来の楽音発生のエンベロープのつけ方として知られている。」（公報第３頁左下欄第１７行〜第２０行）
（４）当審の判断
　本件発明と刊行物１、２に記載の発明とを対比すると、次のことが認められる。
　刊行物１には、出力楽音を指示するキーボード等の入力部、楽音の波形データを記憶する第１の波形メモリ、波形データの加工に関する情報を指示し加工情報を出力する加工指示部、加工情報に基いて第１の波形メモリ内の波形データを加工する加工部、加工部で加工された波形データを加工波形として記憶する第２の波形メモリ、第２の波形メモリ内の加工波形データの記憶領域と加工とに関する情報を記憶するテーブルメモリ、入力部からの出力楽音指示の音高に対応したクロックを発生するクロック発生部、テーブルメモリの出力に対応した第２の波形メモリ内の加工波形データを読出して、加工に関する情報により加工波形データを再加工しかつクロック発生部の出力クロックに同期して出力する合成制御部、加工部から出力される加工波形データを第２の波形メモリ書き込み記憶させ、かつ前記加工波形データの第２の波形メモリにおける記憶領域と加工に関する情報とをテーブルメモリに書き込み記憶させる転送部を備えた楽音合成装置が記載されており（刊行物１の上記１．の記載参照）、上記記載の「加工部」、「合成制御部」が、本件発明の「ミキシング部」、「読み出し部」に相当することは明らかであり、また第１波形メモリには、連続する複数周期の波形データを記憶することも記載されており（刊行物１の上記２．３．の記載参照）、これらの記載によると、本件発明と刊行物１記載の発明とは、波形データが、“定常”波形データか否かはともかくとして、“楽音の連続する複数周期からなる波形データを記憶する第一の波形メモリと、前記波形データのミキシングによる加工を指示する加工指示部と、前記加工指示部から出力される前記波形データの記憶領域に関する情報に従って前記第一の波形メモリの波形データを読み出しかつミキシング加工し複数周期の波形データとして出力するミキシング部と、前記複数周期の波形データを記憶する第二の波形メモリと、前記第二の波形メモリの前記複数周期の波形データの記憶領域に関する情報を記憶するテーブルメモリと、前記ミキシング部から出力される前記複数周期の波形データを前記第二の波形メモリへ書き込みかつ書き込みアドレス等の記憶領域に関する情報を前記テーブルメモリへ書き込む転送部と、出力楽音を指示する入力部と、前記入力部への指示に応じて前記テーブルメモリから出力される前記複数周期の波形データの記憶領域に関する情報に従って前記第二の波形メモリに記憶されている複数周期の波形データを楽音波形データとして読み出す読み出し部を備えた楽音合成装置”といえる点で共通している。
　しかしながら、刊行物１に記載のものは、本件発明の“前記入力部からの情報に従って立ち上がりのエンベロープ波形を発生するエンベロープ発生部と、前記読み出し部が出力した前記楽音波形データと前記エンベロープ発生部が出力した前記エンベロープ波形とを乗算する乗算部を備えた楽音合成装置”を前提としたものではなく、しかも定常波形データから楽音の立ち上がり時の過渡波形を形成する際に、複数のエンベロープから１つのエンベロープを選択して音色を変更すること、すなわち本件発明のように“入力部に音色選択機能を設けると共に用意された複数のエンベロープのそれぞれを音色選択機能の音色に対応づける”点の構成（以下「構成Ａ」という。）については何も記載がなく、示唆もない。
　また刊行物２には、鍵盤などの操作器によって音階を決定する情報を発生する音階情報発生器であって、音源の波形情報を記憶したメモリを音階に応じた周期で繰り返し読み出すことが記載されており（刊行物２の上記１．の記載参照）、また斉奏演奏より、所望の区間を切り取り、始まり部分を徐々に音量が零から増加するように変調し、終了部分を徐々に音量が減少するように変調し、始まりと終了の部分の音を加え合わしてエンドレス状にし、上記区間の中間付近で切断し、その後Ａ〜ＢとＥ〜Ｆの区間を重ね合わせ、Ｃ、Ｄの点で切断し、Ｄを始端、Ｃを終端とし、Ｄ〜Ｃ間をサンプリングすることが記載されており（刊行物２の上記２．の記載参照）、さらにＤ→Ｃ→Ｄ→Ｃ・・・・と読み出して、音の立上り時に、従来の楽音発生のエンベロープのつけ方でエンベロープをつけることも記載されており（刊行物２の上記３．の記載参照）、これらの記載によると、刊行物２には、定常波形データから楽音の立ち上がり時の過渡波形をエンベロープで形成することは示されているといえるが、そこにも楽音の立ち上がり時に“複数のエンベロープから１つのエンベロープを選択して立ち上がり時の音色を変更する”こと、すなわち本件発明の上記構成Ａについては何も記載がなく、示唆もない。
　なお、一般に複数のエンベロープから１つのエンベロープを選択して音色を変更する技術が知られていることを考慮しても、本件発明のように定常波形データから楽音の立ち上がり時の過渡波形を形成する際に、複数のエンベロープから１つのエンベロープを選択して音色を変更することが直ちに想起し得るとはいえない。
　以上のように、上記刊行物１、２のいずれにも本件発明の上記構成Ａについて、何も記載がなく、示唆もないのであるから、それら刊行物１、２の記載内容を組み合わせても本件発明が容易に想到し得るとはいえない。
　そして、本件発明は、上記構成Ａを採用することによって、「入力部に音色選択機能を設け、用意された複数のエンベロープのそれぞれを音色選択機能の音色に対応づけることにより１つの定常波形だけで立上がりの異なった楽音出力を得ることができる。」、「エンベロープ波形の形状を変更するだけで楽音の立上がりが遠く鋭いものから遅くゆっくりとしたものまで自由に表現できるという優れた楽音合成装置を実現できる。」（特許明細書第１６頁第６行〜第１７頁第７行の記載）等の明細書記載の顕著な効果を奏するものといえる。
　したがって、本件発明は、刊行物１、２に記載の発明に基づいて容易に発明することができたものとはいえない。
IV【むすび】
　以上のとおりであるから、特許異議申立ての理由及び証拠によっては、本件発明の特許を取り消すことはできない。
　また、他に本件発明に係る特許を取り消すべき理由を発見しない。
　よって、結論のとおり決定する。
【異議決定日】
平成１３年４月５日（２００１．４．５）
【訂正の要旨】
訂正の要旨
　特許第３００７６３３号発明の明細書を請求書に添付された訂正明細書のとおりに、すなわち
　（ａ）　特許第３００７６３３号発明の明細書中特許請求の範囲の請求項１を、
「（１）（前略）…前記エンベロープ波形とを乗算する乗算部を備え
た楽音合成装置であって、入力部に音色選択機能を設けると共に用意された複数のエンベロープのそれぞれを音色選択機能の音色に対応づけることを特徴とする
　（ｂ）　特許第３００７６３３号発明の明細書中第７頁第第１７行目から第８頁第２０行目まで（特許第３００７６３３号公報の第２頁第４欄第３６行目から第３頁第５欄第９行目まで）の「この目的を達成するために…（中略）…乗算部とから構成されている。」を、「この目的を達成するために…（中略）…る乗算部とから構成され、
入力部に音色選択機能を設けると共に用意された複数のエンベロープのそれぞれを音色選択機能の音色に対応づけることを特徴とする
（５４）【発明の名称】
楽音合成装置
（５７）【特許請求の範囲】
（１）　楽音の連続する複数周期からなる波形データを記憶する第一の波形メモリと、前記波形データのミキシングによる加工を指示する加工指示部と、前記加工指示部から出力される前記波形データの記憶領域に関する情報に従って前記第一の波形メモリの波形データを読み出しかつミキシング加工し複数周期の定常波形データとして出力するミキシング部と、前記複数周期の定常波形データを記憶する第二の波形メモリと、前記第二の波形メモリの前記複数周期の定常波形データの記憶領域に関する情報を記憶するテーブルメモリと、前記ミキシング部から出力される前記複数周期の定常波形データを前記第二の波形メモリへ書き込みかつ書き込みアドレス等の記憶領域に関する情報を前記テーブルメモリへ書き込む転送部と、出力楽音を指示する入力部と、前記入力部への指示に応じて前記テーブルメモリから出力される前記複数周期の定常波形データの記憶領域に関する情報に従って前記第二の波形メモリに記憶されている複数周期の定常波形データを楽音波形データとして読み出す読み出し部と、前記入力部からの情報に従って立ち上がりのエンベロープ波形を発生するエンベロープ発生部と、前記読み出し部が出力した前記楽音波形データと前記エンベロープ発生部が出力した前記エンベロープ波形とを乗算する乗算部を備え
た楽音合成装置であって、入力部に音色選択機能を設けると共に用意された複数のエンベロープのそれぞれを音色選択機能の音色に対応づけることを特徴とする
【発明の詳細な説明】
　産業上の利用分野
　本発明は楽音の時間波形データを出力したい音程に応じたクロックで出力することにより出力楽音を形成する電子楽器音源装置等に用いられる楽音合成装置に関する。
　従来の技術
　近年、電子楽器用音源装置として、デジタル技術が利用されるようになり、音源品質の向上は目ざましいものである。
　従来の技術としては、例えば、特開昭６１−１８９５９７号公報に示されているような楽音波形発生装置がある。
　以下、図面を参照しながら、上述したような従来の楽音波形発生装置について説明を行なう。
　第５図において、１０１は出力楽音を指示するキーボード等の入力部、１０８は楽音の波形データを記憶する第１の波形メモリ、１０７は波形データの加工に関する情報を指示する加工指示部、１０６は加工指示部１０７からの入力に基いて第１の波形メモリ１０８内の波形データを加工するミキシング部、１０２はミキシング部１０６で加工された波形データを記憶する第２の波形メモリ、１０３は第２の波形メモリ１０２内の波形データの記憶領域に関する情報を記憶するテーブルメモリ、１０９は入力部１０１からの出力楽音指示の音高に対応したクロックを発生するクロック発生部、１０４はテーブルメモリ１０３の出力に対応した第２の波形メモリ１０２内の波形データを読出しかつクロック発生部１０９の出力するクロックに同期して出力する読出し部、１０５は過渡波形データを第２の波形メモリ１０２のスタートアドレスＢＤからＮＤ個分のアドレスに書き込み記憶させると共に、テーブルメモリ１０３にスタートアドレスＢＤとＮＤとを書き込み記憶させる転送部である。
　第６図は加工指示部１０７により定義される第１の波形メモリ１０８内の波形データの包絡を簡単化したものを示す。第６図において、１５は過渡波形区間Ｄ、１６は定常ループ波形区間Ｌ´を表わす。
　第６図のようなデータに対して、作成される定常波形データの包絡は例えば第７図のようになる。
　以上のように構成された従来例について、以下その動作について説明する。
　まず、加工指示部１０７は、第１の波形メモリ１０８にある連続する複数周期の波形データの過渡波形区間Ｄと定常ループ波形区間Ｌ´とミキシング区間Ｆ´とをミキシング部１０６へ指示する。それぞれの区間は例えば第１の波形メモリ１０８内のスタートアドレスＡとデータ長Ｎとで表わされ、区間Ｄ，Ｌ´，Ｆ´はそれぞれ、ＡＤとＮＤ，ＡＬ´とＮＬ´，ＡＦ´とＮＦ´とで表わすことができる。ミキシング部１０６は過渡波形区間の波形データを第１の波形メモリ１０８から読出しそのまま転送部１０５へ出力する。転送部１０５は過渡波形データを第２の波形メモリ１０２のスタートアドレスＢＤからＮＤ個分のアドレスに書き込み記憶させると共に、テーブルメモリ１０３にＢＤとＮＤとを書き込み記憶させる。ミキシング部１０６は定常ループ波形区間Ｌ´の前部として、第１の波形メモリ１０８のスタートアドレスＡＬ´から（ＮＬ´−ＮＦ´）個の波形データを第１の波形メモリ１０８から読出しそのまま転送部１０５へ出力すると共に、定常ループ波形区間Ｌ´の後部として、第１の波形メモリ１０８のスタートアドレス（ＡＬ´＋ＮＬ´−ＮＦ´）からＮＦ´個の波形データをフェイドアウトしたデータと第１の波形メモリ１０８のスタートアドレスＡＦ´からＮＦ´個の波形データをフェイドインしたデータとをＮＦ´個分それぞれ加算して転送部１０５へ出力する。転送部１０５はミキシング部１０６から出力される定常ループ波形区間Ｌ´の前部と後部とのデータＮＬ´個の波形データを定常波形データとして第２の波形メモリ１０２のスタートアドレスＢＬ´からＮＬ´個分のアドレスに書き込み記憶させると共に、テーブルメモリ１０３にＢＬ´とＮＬ´とを書き込み記憶させる。
　出力したい楽音をキーボード等の入力部１０１で指示するとテーブルメモリ１０３は対応する楽音の波形データに関して過渡波形データの第２の波形メモリ１０２におけるスタートアドレスＢＤとデータ長ＮＤと定常波形データの第２の波形メモリ１０２におけるスタートアドレスＢＬ´とデータ長ＮＬ´とを読出し部１０４に出力する。読出し部１０４は第２の波形メモリ１０２のスタートアドレスＢＤからＮＤ個のデータを読出しかつクロック発生部１０９からのクロックに同期して１波形データづつ楽音波形データとして出力する。
　なお、クロック発生部１０９は入力部１０１へ指示された楽音の音高に対応したクロックを発生する。
　次に、読出し部１０４は第２の波形メモリ１０２のスタートアドレスＢＬ´からＮＬ´個のデータを読出しかつクロック発生部１０９からのクロックに同期して１波形データづつ楽音波形データとして出力し、定常波形データの出力を１回終了し、以後、定常波形データの出力をくり返す。
　発明が解決しようとする問題点
　しかしながら、上記のような構成では、過渡波形と定常波形の両方の波形を持たねばならずデータ量が膨大となるという問題点を有していた。
　本発明は、上記問題点に鑑みて、データ量を少なくすることを可能にした楽音合成装置である。
　問題点を解決するための手段
　この目的を達成するために、本発明の楽音合成装置は、楽音の連続する複数周期からなる波形データを記憶する第１の波形メモリと、前記波形データのミキシングによる加工を指示する加工指示部と、前記加工指示部から出力される前記波形データの記憶領域に関する情報に従って前記第１の波形メモリの波形データを読み出しかつミキシング加工し複数周期の定常波形データとして出力するミキシング部と、前記複数周期の定常波形データを記憶する第２の波形メモリと、前記第２の波形メモリの前記複数周期の定常波形データの記憶領域に関する情報を記憶するテーブルメモリと、前記ミキシング部から出力される前記複数周期の定常波形データを前記第２の波形メモリへ書き込みかつ書き込みアドレス等の記憶領域に関する情報を前記テーブルメモリへ書き込む転送部と、出力楽音を指示する入力部と、前記入力部への指示に応じて前記テーブルメモリから出力される前記複数周期の定常波形データの記憶領域に関する情報に従って前記第２の波形メモリに記憶されている複数周期の定常波形データを楽音波形データとして読み出す読み出し部と、前記入力部からの情報に従って立ち上がりのエンベロープ波形を発生するエンベロープ発生部と、前記読み出し部が出力した前記楽音波形データと前記エンベロープ発生部が出力した前記エンベロープ波形とを乗算する乗算部から構成され、
入力部に音色選択機能を設けると共に用意された複数のエンベロープのそれぞれを音色選択機能の音色に対応づけることを特徴とする
　作用
　この構成によって、楽音の定常部を出力する為に、加工指示部は第１の波形メモリ内の連続する複数周期から成る楽音の波形データに関して定常ループ波形区間Ｌとミキシング区間Ｆとの指示をミキシング部へ出力する。ミキシング部は定常ループ波形区間Ｌとミキシング区間Ｆとからフェイドイン，フェイドアウト等を実施して波形データを加工することにより定常波形データを作成する。ここで、フェイドイン，フェイドアウトとはそれぞれ波形データの振幅増幅度を小→大，大→小とすることをいう。定常波形データは以下のようにして得られる。加工指示部において、ミキシング区間Ｆと定常ループ波形区間Ｌとをこの順に連続する波形データとして選択した時、ミキシング部で定常ループ波形区間Ｌの前部をそのまま定常波形データの前部とし、定常ループ波形区間Ｌの後部をフェイドアウトしたデータとミキシング区間Ｆをフェイドインしたデータとを加算したデータを定常波形データの後部とすることにより定常波形データを得る。このようにして得られた定常波形データの最後部と最前部とは滑かに接続されることになる。転送部は、上述のようにして得られた定常波形データを第２の波形メモリへ書き込みしかつ第２の波形メモリ内の定常波形データの記憶領域に関する情報をテーブルメモリへ書き込む。出力したい楽音をキーボード等の入力部に指示するとテーブルメモリから、対応する第２の波形メモリ内の波形データの記憶領域に関する情報が読出し部へ出力される。読出し部が、テーブルメモリの出力に対応して第２の波形メモリから定常波形データをくり返し読出し出力することにより、出力したい楽音の定常音を得ることができる。
　楽音の立上がりから定常に至る部分は上記定常波形データに対し以下のようにして得られる。エンベロープ発生部は、入力部からの情報により、定常波形データに過渡波形のような包絡をつけることのできるエンベロープ波形を発生する。エンベロープ発生部が出力したエンベロープ波形と読出し部が出力した定常波形データを乗算部は乗算し過渡波形のような包絡がついた波形を出力し、楽音の立上がりを表現する。
　これにより、過渡波形をもたずに定常波形だけで楽音の立上がりから定常部までを表現することができる。
　実施例
　以下本発明の一実施例について、図面を参照しながら説明する。
　第１図は本発明の一実施例における楽音合成装置の構成を示すものである。第１図において、１は出力楽音を指示するキーボード等の入力部、８は楽音の波形データを記憶する第１の波形メモり、７は波形データの加工に関する情報を指示する加工指示部、６は加工指示部７からの入力に基いて第１の波形メモリ８内の波形データを加工するミキシング部、２はミキシング部６で加工された波形データを記憶する第２の波形メモリ、３は第２の波形メモリ２内の波形データの記憶領域に関する情報を記憶するテーブルメモリ、９は入力部１からの出力楽音指示の音高に対応したクロックを発生するクロック発生部、４はテーブルメモリ３の出力に対応した第２の波形メモリ２内の波形データを読出しかつクロック発生部９の出力するクロックに同期して出力する読出し部、５は定常波形データを第２の波形メモリ２のスタートアドレスＢＬからＮＬ個分のアドレスに書き込み記憶させると共に、テーブルメモリ３にスタートアドレスＢＬとＮＬとを書き込み記憶させる転送部、１１は、入力部１からの情報によりエンベロープを発生するエンベロープ発生部、１０は読出し部４が出力した定常波形データとエンベロープ発生部１１が出力したエンベロープを乗算し出力する乗算部である。
　第２図は加工指示部７により定義される第１の波形メモリ８内の波形データの包絡を簡単化したものを示す。第２図において、１３は定常波形区間でミキシング区間Ｆ、１４は定常ループ波形区間Ｌを表わす。
　第２図のようなデータに対して、作成される定常波形データの包絡は例えば第３図のようになる。
　以上のように構成された一実施例について、以下その動作について説明する。
　まず、加工指示部７は、第１の波形メモリ８にある連続する複数周期の波形データの定常波形区間でミキシング区間Ｆと定常ループ波形区間Ｌとをミキシング部６へ指示する。それぞれの区間は例えば第１の波形メモリ８内のスタートアドレスＡとデータ長Ｎとで表わされ、区間Ｌ，Ｆはそれぞれ、ＡＬとＮＬ，ＡＦとＮＦとで表わすことができる。ミキシング部６は定常ループ波形区間Ｌの前部として、第１の波形メモリ８のスタートアドレスＡＬから（ＮＬ−ＮＦ）個の波形データを第１の波形メモリ８から読出しそのまま転送部５へ出力すると共に、定常ループ波形区間Ｌの後部として、第１の波形メモリ８のスタートアドレス（ＡＬ＋ＮＬ−ＮＦ）からＮＦ個の波形データをフェイドアウトしたデータと第１の波形メモリ８のスタートアドレスＡＦからＮＦ個の波形データをフェイドインしたデータとをＮＦ個分それぞれ加算して転送部５へ出力する。転送部５はミキシング部６から出力される定常ループ波形区間Ｌの前部と後部とのデータＮＬ個の波形データを定常波形データとして第２の波形メモリ２のスタートアドレスＢＬからＮＬ個分のアドレスに書き込み記憶させると共に、テーブルメモリ３にＢＬとＮＬとを書き込み記憶させる。
　出力したい楽音をキーボード等の入力部１で指示するとテーブルメモリ３は対応する楽音の波形データに関して定常波形データの第２の波形メモリ２におけるスタートアドレスＢＬとデータ長ＮＬとを読出し部４に出力する。読出し部４は第２の波形メモリ２のスタートアドレスＢＬからＮＬ個分のデータを読出しかつクロック発生部９からのクロックに同期して１波形データづつ楽音波形データとして出力する。
　そして、定常波形データの出力を１回終了した後は、定常波形データをくり返し出力する。
　上記クロック発生部９は入力部１へ指示された楽音の音高に対応したクロックを発生する。
　さらにエンベロープ発生部１１は、入力部１からの情報でエンベロープ波形を出力する。エンベロープ発生部１１が出力するエンベロープ波形は、例えば第４図のように定常波形に過渡波形のような包絡をつけることのできるエンベロープ波形である。
　エンベロープ発生部１１が出力したエンベロープ波形と読出し部４がくり返し読出す定常波形データを乗算部１０で乗算し出力する。
　以上のように本実施例によれば、エンベロープ発生部９を設けているので、定常波形データの単純なくり返し読出しのみで楽音の立上がりから定常に至るまでを表現できる。すなわち過渡波形をもたない分、データ量が少なくてすむ。さらに、エンベロープ波形の形状を変更するだけで楽音の立上がりが速く鋭いものから遅くゆっくりとしたものまで自由に表現できる。
　なお、本実施例では読出し部４の動作クロックを出力楽音の音高に対応したクロックとしたが、例えば特開昭５９−１５９８９号公報に記載の発明のように、読出し部４の動作を固定クロックとし、楽音波形データをデジタルアナログ変換部周辺で音高に応じたクロックでラッチするようにしても良い。
　又、転送部５を読出し専用メモリ製造機とし、第２の波形メモリ２とテーブルメモリ３とを読出し専用メモリとすれば第１図のブロック１２のみを分離した形で合成装置を構成することも可能である。
　又、入力部に音色選択機能を設け、用意された複数のエンベロープのそれぞれを音色選択機能の音色に対応づけることにより１つの定常波形だけで立上がりの異なった楽音出力を得ることができる。
　又、波形を加工する際、実施例の第２図のミキシング区間Ｆと定常ループ波形区間Ｌを等しくし、定常波形全体をフェイドン・フェイドアウトの加工波形としてもよい。
　又、定常波形区間、定常ループ波形区間は、原音楽音波形の過度波形区間のすぐ後である必要がないので、定常波形区間、定常ループ波形区間の原音楽音波形における位置の選択自由度が高い。
　発明の効果
　以上のように本発明によれば、エンベロープ発生部を設けているので、定常波形の単純な繰返し読出しのみで楽音の立上がりから定常に至るまでを表現できる。すなわち、過渡波形区間の波形をもたなくてもよいので、データ量が過渡波形区間の分少なくてすむ。
　さらに、エンベロープ波形の形状を変更するだけで楽音の立上がりが速く鋭いものから遅くゆっくりとしたものまで自由に表現できるという優れた楽音合成装置を実現できる。
【図面の簡単な説明】
　第１図は本発明の一実施例における楽音合成装置のブロック図、第２図は同波形メモリ内の波形データ包絡図、第３図は同定常波形データ包絡図、第４図はエンベロープ発生部が出力するエンベロープ波形の一実施例の波形図、第５図は従来例のブロック図、第６図は従来例の波形メモリ内の波形データ包絡図、第７図は同定常波形データ包絡図である。
　１，１０１……入力部、２，１０２……第２の波形メモリ、３，１０３……テーブルメモリ、４，１０４……読出し部、５，１０５……転送部、６，１０６……ミキシング部、７，１０７……加工指示部、８，１０８……第１の波形メモリ、９，１０９……クロック発生部、１０……乗算部、１１……エンベロープ発生部。